(57)【要約】【課題】取り出し時の負担が少なく、且つ着用物品に取り付けやすい吸収性物品を提供すること。【解決手段】本発明の吸収性物品は、長手方向とこれに直交する幅方向とを有し、肌対向面側に配された表面シートと、非肌対向面側に配された裏面シートと、これらのシート間に配された吸収体と、裏面シートの非肌対向面側に配される外装体とを備える。吸収体は、吸収性物品の非肌対向面側に位置する下層吸収性コアと、下層吸収性コアの肌対向面側に位置する上層吸収性コアとを備える。吸収体は、吸収性物品の長手方向端部域且つ幅方向中央域に、上層吸収性コアが存在し且つ上層吸収性コアと重なる下層吸収性コアが存在しない薄肉領域を有する。第１及び第２ズレ止め部が、外装体の非肌対向面側に、吸収性物品の長手方向における一方の端部域と他方の端部域とに離間して配されており、少なくとも一方のズレ止め部が、前記薄肉領域と厚み方向で重なっている。【選択図】図１
2020110227.tif 000002
【特許請求の範囲】
【請求項１】
着用者の前後方向に相当する長手方向とこれに直交する幅方向とを有し、肌対向面側に配された表面シートと、非肌対向面側に配された裏面シートと、これらのシート間に配された吸収体と、前記裏面シートの非肌対向面側に配される外装体とを備えた吸収性物品であって、
前記吸収体は、前記吸収性物品の非肌対向面側に位置する下層吸収性コアと、該下層吸収性コアの肌対向面側に位置する上層吸収性コアとを備え、
前記吸収体は、前記吸収性物品の長手方向の端部域且つ幅方向中央域に、前記上層吸収性コアが存在し且つ該上層吸収性コアと重なる下層吸収性コアが存在しない薄肉領域を有しており、
第１ズレ止め部及び第２ズレ止め部が、前記外装体の非肌対向面側に、前記吸収性物品の長手方向における一方の端部域と他方の端部域とに離間して配されており、
少なくとも一方の前記ズレ止め部が、前記薄肉領域と厚み方向で重なっている、吸収性物品。
【請求項２】
前記下層吸収性コアは、その長手方向の側縁が前記吸収性物品の長手方向中央部側に切り欠かれた切り欠き部を有し、
前記上層吸収性コアと前記切り欠き部とが厚み方向で重なる部分によって前記薄肉領域が形成されている、請求項１に記載の吸収性物品。
【請求項３】
前記下層吸収性コアは、その厚み方向において貫通した貫通部を有し、
前記上層吸収性コアと前記貫通部とが厚み方向で重なる部分によって前記薄肉領域が形成されている、請求項１に記載の吸収性物品。
【請求項４】
前記ズレ止め部は、機械的面ファスナーである、請求項１ないし３のいずれか一項に記載の吸収性物品。
【請求項５】
香料を含む、請求項１ないし４のいずれか一項に記載の吸収性物品。
【請求項６】
前記香料は、前記吸収体の肌対向面側に配されている、請求項５に記載の吸収性物品。
【請求項７】
請求項１ないし６のいずれか一項に記載の吸収性物品が、肌対向面側を対向させた状態で折り畳まれており、
折り畳まれた前記吸収性物品が、前記外装体どうしを面接触させた状態で積層されて包装袋に複数収容されている包装体。
【請求項８】
前記包装袋は、前記吸収性物品を取り出すための開口部が形成されており、
折り畳まれた前記吸収性物品における前記ズレ止め部を有する端部側が、前記開口部側を向いた状態で前記包装袋に収容されている、請求項７に記載の包装体。
【発明の詳細な説明】
【技術分野】
【０００１】
本発明は、吸収性物品及びその包装体に関する。
【背景技術】
【０００２】
尿等の排泄物の処理に伴う経済的、労力的な負担の軽減を目的として、吸収パッドなどの吸収性物品が、下着やおむつ等の着用物品の肌対向面に重ねて用いられている。例えば、特許文献１に記載の吸収性物品は、下層吸収性コアにおける吸収性物品の長手方向の中間領域に幅狭部を有し、該幅狭部の前後に該幅狭部より幅が広い前方幅広部及び後方幅広部を有しており、前方幅広部及び後方幅広部は、上層吸収性コアの両側縁の位置より幅方向外方に延出したフラップ部を有している。使用時においては、前記フラップ部が折れ曲がることにより、優れた漏れ防止性が得られるものである。また同文献には、防漏シートの非肌当接面側にズレ止め部が形成されていることも開示されている。
【先行技術文献】
【特許文献】
【０００３】
【特許文献１】特開２０１３−２５５５５０号公報
【発明の概要】
【発明が解決しようとする課題】
【０００４】
しかし、特許文献１に記載の吸収性物品にズレ止め部を形成した場合、着用者又は介護者等が吸収性物品を着用物品に取り付ける際に、ズレ止め部が着用物品の意図しない部分に係合されてしまい、位置調整等の負担を生じることがあった。また、同文献に記載の吸収性物品を肌当接面側どうしが対向するように二つ折りして、その状態の吸収性物品を複数収容した包装体とした場合、包装体から二つ折りの吸収性物品を取り出すときに、ズレ止め部と隣り合う吸収性物品の外装体が係合されてしまうことがあり、その結果、包装体からの取り出し時に負担を感じることがあった。
【０００５】
したがって、本発明は、前述した従来技術が有する欠点を解消し得る吸収性物品に関する。
【課題を解決するための手段】
【０００６】
本発明は、着用者の前後方向に相当する長手方向とこれに直交する幅方向とを有し、肌対向面側に配された表面シートと、非肌対向面側に配された裏面シートと、これらのシート間に配された吸収体と、前記裏面シートの非肌対向面側に配される外装体とを備えた吸収性物品であって、
前記吸収体は、前記吸収性物品の非肌対向面側に位置する下層吸収性コアと、該下層吸収性コアの肌対向面側に位置する上層吸収性コアとを備え、
前記吸収体は、前記吸収性物品の長手方向の端部域且つ幅方向中央域に、前記上層吸収性コアが存在し且つ該上層吸収性コアと重なる下層吸収性コアが存在しない薄肉領域を有しており、
第１ズレ止め部及び第２ズレ止め部が、前記外装体の非肌対向面側に、前記吸収性物品の長手方向における一方の端部域と他方の端部域とに離間して配されており、
少なくとも一方の前記ズレ止め部が、前記薄肉領域と厚み方向で重なっている、吸収性物品を提供するものである。
【０００７】
また本発明は、前記吸収性物品が、肌対向面側を対向させた状態で折り畳まれており、
折り畳まれた前記吸収性物品が、前記外装体どうしを面接触させた状態で積層されて包装袋に複数収容されている包装体を提供するものである。
【発明の効果】
【０００８】
本発明によれば、取り出し時の負担が少なく、且つ着用物品に取り付けやすい吸収性物品が提供される。
【図面の簡単な説明】
【０００９】
【図１】図１は、本発明の吸収性物品の実施形態を示す平面図である。
【図２】図２（ａ）は、図１に示す吸収性物品のＩ−Ｉ線での断面図であり、図２（ｂ）は、図１に示す吸収性物品のII−II線での断面図である。
【図３】図３は、本発明の吸収性物品の別の実施形態を示す平面図である。
【図４】図４（ａ）は、本発明の吸収性物品の更に別の実施形態を示す平面図であり、図４（ｂ）は、図４（ａ）に示す吸収性物品のIII−III線での断面図である。
【図５】図５（ａ）は、本発明の吸収性物品の更に別の実施形態を示す平面図であり、図５（ｂ）は、図５（ａ）に示す吸収性物品のIV−IV線での断面図である。
【図６】図６は、本発明の吸収性物品を収容した包装体の実施形態を示す斜視図である。
【図７】図７（ａ）ないし（ｃ）は、本発明の吸収性物品を収容したときの状態を示す断面図である。
【発明を実施するための形態】
【００１０】
以下本発明を、その好ましい実施形態に基づき図面を参照しながら説明する。図１及び図２には、本発明の吸収性物品の一実施形態である吸収パッドが示されている。図１及び図２に示す吸収性物品１は、肌対向面側に配された表面シート２と、非肌対向面側に配された裏面シート３と、これらのシート２，３の間に配された液保持性の吸収体４とを備える。また、吸収性物品１は、裏面シート３の非肌対向面側に配され、吸収性物品１の外面を形成する外装体５を備える。吸収性物品１は、着用者の前後方向に相当する長手方向Ｘとこれに直交する幅方向Ｙとを有している。
【００１１】
本明細書において、吸収性物品１における「着用者の前後方向」とは、着用者の腹側から股間部を介して背側に延びる方向を指す。また、「肌対向面」は、吸収性物品又はその構成部材（例えば吸収体４）に着目したときに、吸収性物品の着用時に着用者の肌に向けられる面であり、「非肌対向面」は、吸収性物品の着用時に着用者の肌とは反対側に向けられる面である。つまり、肌対向面は、着用者の肌に相対的に近い側の面であり、非肌対向面は、着用者の肌から相対的に遠い側の面である。「着用時」は、吸収性物品の適正な着用位置が維持された状態を指す。
【００１２】
図１に示すように、吸収性物品１は、その展開且つ伸長状態において略長方形の形状を有している。また吸収性物品１は、長手方向Ｘに延びる長手方向中央線Ｌ１に対して対称の構造であり、且つ幅方向Ｙに延びる幅方向中央線Ｌ２に対して対称の構造となっている。吸収性物品１は、その長手方向Ｘの中央部に、着用時に着用者の股間部に配される中央域１Ｃを有し、該中央域１Ｃを挟んで第１端部域１Ａ及び第２端部域１Ｂを有している。中央域１Ｃは、吸収性物品１の着用時に着用者の排泄部に対向配置される排泄部対向部となっている。第１端部域１Ａ及び第２端部域１Ｂは、両端部域１Ａ，１Ｂのうちいずれか一方が着用者の腹側に配され、他方が着用者の背側に配されるようになっている。第１端部域１Ａ及び第２端部域１Ｂは、吸収性物品１をその長手方向に四等分して４つの領域に区分したときに、長手方向両端に位置する領域である。
【００１３】
図１に示すように、表面シート２、裏面シート３及び外装体５はいずれも、吸収性物品１の長手方向Ｘに長い矩形状となっており、吸収体４の長手方向Ｘの側縁よりも延出した部分を有している。図２に示すように、表面シート２の幅（幅方向Ｙの長さ）は、吸収性物品１の幅と略同じとなっている。また同図に示すように、裏面シート３及び外装体５は、吸収体４の幅方向の側縁よりも延出した延出部を形成しており、該延出部が吸収性物品１の肌当接面側に折り返されて、後述する防漏カフ７に固定されている。
【００１４】
吸収性物品１の肌対向面における長手方向Ｘに沿う両側部には、液抵抗性又は撥水性で且つ通気性のシートから構成された一対の防漏カフ７，７が設けられている。各防漏カフ７の自由端部の近傍には糸状の防漏カフ形成用弾性部材７１が長手方向Ｘに伸長状態で一本以上配されている。防漏カフ７は、伸長状態で配された弾性部材７１が吸収性物品１の着用時に収縮することによって少なくとも中央域１Ｃで起立し、それによって尿等の排泄物の幅方向Ｙの外方への流出を阻止する。防漏カフ７は、その長手方向の両端部域１Ａ，１Ｂにおいて、防漏カフ７を幅方向Ｙの内方に位置するように伏倒した状態で、固定部１Ｐによって表面シート２に固定されている。図１に示す固定部１Ｐは、弾性部材７１の延長線上に位置する部分に形成されている。
【００１５】
図１及び図２に示すように、吸収体４は、吸収性物品１の非肌対向面側に位置する下層吸収性コア４Ｂと、下層吸収性コア４Ｂの肌対向面側に位置する上層吸収性コア４Ａとを備えている。図２（ａ）及び（ｂ）に示すように、上層吸収性コア４Ａは、第１コアラップシート４２によって被覆されていてもよい。同様に、図２（ａ）に示すように、下層吸収性コア４Ｂは、第２コアラップシート４４によって被覆されていてもよい。これらに代えて、コアラップシートによって各吸収性コアを被覆する場合、コアラップシートは、上層吸収性コア４Ａ及び下層吸収性コア４Ｂを一体的に被覆する一枚のシートで構成されていてもよい。また、上層吸収性コア４Ａの肌対向面側と下層吸収性コア４Ｂの非肌対向面側とにコアラップシートをそれぞれ配し、一方のコアラップシートを吸収性コアの幅方向Ｙ側縁から延出させて延出部とし、該延出部を他方のコアラップシート上に折り重ねて、二つの吸収性コアを被覆してもよい。
【００１６】
吸収体４は、各吸収性コア４Ａ，４Ｂとして、木材パルプ、親水化処理された合成繊維等の親水性繊維の集合体や、該集合体に吸水性ポリマーを保持させたものを用いることができる。コアラップシートは、吸収性コアの形成材料の漏出を防止するものであり、各種公知のものを用いることができ、例えばティッシュペーパー等の薄紙、透水性の不織布、表面シート２と同様のものを用いることができる。
【００１７】
図１に示すように、上層吸収性コア４Ａは、長手方向Ｘに沿う矩形の形状を有している。上層吸収性コア４Ａは、吸収性物品の中央域Ｃに、上層吸収性コア４Ａの中央域が内方に括れた幅狭部４１ｃを有しており、幅狭部４１ｃを挟んで、幅狭部４１ｃより相対的に幅が広い第１幅広部４１ａ及び第２幅広部４１ｂを有している。長手方向Ｘに延びる第１幅広部４１ａの一対の側縁４１１，４１１と、長手方向Ｘに延びる第２幅広部４１ｂの一対の側縁４１２，４１２とはそれぞれ、長手方向中央線Ｌ１に対して傾斜した側縁を介して、長手方向Ｘに延びる幅狭部４１ｃの一対の側縁４１３，４１３とつながっており、これらの側縁が上層吸収性コア４Ａの輪郭を形成している。本実施形態の各側縁は直線状で形成されているが、これに代えて、又はこれとともに、曲線状の側縁で形成されていてもよい。
【００１８】
図１に示す下層吸収性コア４Ｂは、上層吸収性コア４Ａと同様に、長手方向Ｘに沿う矩形の形状を有している。下層吸収性コア４Ｂの幅は、第１端部域１Ａから第２端部域１Ｂに亘って一定となっている。同図に示す下層吸収性コア４Ｂは、その幅が、上層吸収性コア４Ａの幅狭部４１ｃの幅よりも同じであるか、それよりも狭く形成されている。
【００１９】
上述のとおり、吸収体４は、平面視形状が異なる二つの吸収性コア４Ａ，４Ｂが積層されて形成されている。図１に示すように、第１幅広部４１ａ及び第２幅広部４１ｂはそれぞれ、下層吸収性コア４Ｂの幅方向Ｙの両側縁から外方に延出したフラップ部を形成している。
【００２０】
図１及び図２に示すように、吸収性物品１の長手方向の端部域且つ幅方向Ｙの中央域において、吸収性物品１に配される吸収体４は、上層吸収性コア４Ａが存在し且つ下層吸収性コア４Ｂが存在していない薄肉領域４Ｆを有している。図１及び図２に示す下層吸収性コア４Ｂの長手方向側縁４７及び上層吸収性コア４Ａの長手方向側縁４８は、いずれも幅方向Ｙに沿って延びており、下層吸収性コア４Ｂの長手方向両側縁４７，４７が、上層吸収性コア４Ａの長手方向両側縁４８，４８よりも長手方向Ｘの内方に後退して、薄肉領域４Ｆが形成されている。図２（ｂ）に示すように、薄肉領域４Ｆには下層吸収性コア４Ｂが存在しておらず、第２コアラップシート４４が存在していてもよく、又はこれに代えて、薄肉領域４Ｆには下層吸収性コア４Ｂ及び第２コアラップシート４４が存在していなくてもよい。吸収体４が、上層吸収性コア４Ａ及び下層吸収性コア４Ｂが積層された状態で一枚のコアラップシートによって一体的に被覆されているものである場合、下層吸収性コア４Ｂは存在せず、上層吸収性コア４Ａのみが存在する領域によって、薄肉領域４Ｆが形成されている。薄肉領域４Ｆは幅方向Ｙの中央域に配されている。図１及び図２に示す実施形態では、薄肉領域４Ｆは、長手方向中央線Ｌ１を跨ぐように、幅方向Ｙの中央域に配されている。
【００２１】
図１に示す薄肉領域４Ｆは、吸収性物品１の両端部域１Ａ，１Ｂにそれぞれ形成されている。これに代えて、図３に示すように、薄肉領域４Ｆは、吸収性物品１の一方の端部域にのみ形成されていてもよい。図３に示す実施形態では、薄肉領域４Ｆは、第１端部域１Ａにのみ形成されている。図３に示す薄肉領域４Ｆが形成されていない側の端部域である第２端部域１Ｂでは、下層吸収性コア４Ｂの長手方向側縁４７と上層吸収性コア４Ａの長手方向側縁４８とは一致している。
【００２２】
吸収性物品１の厚み方向について着目すると、吸収性物品は、その外面にズレ止め部８が複数配されており、且つ少なくとも１つのズレ止め部が薄肉領域４Ｆと重なるように配されている。ズレ止め部８は、本発明の吸収性物品を着用物品に取り付けたときに、吸収性物品と着用物品との位置のずれが生じないようにするためのものであり、これによって、吸収性物品１は着用物品に対して脱着可能となっている。着用物品とは、外科用衣類、使い捨て下着、生理用ショーツ等の衣類や、使い捨ておむつ等の本発明の吸収性物品とは別体に着用される吸収性物品を指す。
【００２３】
詳細には、図１ないし図３に示すように、第１ズレ止め部８１及び第２ズレ止め部８２が、吸収性物品１の外面を形成する外装体５の非肌対向面側に、吸収性物品の長手方向における一方の端部域である第１端部域１Ａと、他方の端部域である第２端部域１Ｂとに離間して配されている。また、各ズレ止め部８１，８２は、吸収性物品１の幅方向Ｙの中央域に配されている。薄肉領域４Ｆと厚み方向で重なっているズレ止め部８は、平面視において、その全域が薄肉領域４Ｆ内に位置しており、薄肉領域４Ｆよりも外方に延出する部位は存在しない。
【００２４】
図１並びに図２（ａ）及び（ｂ）に示す実施形態では、第１ズレ止め部８１は第１端部域１Ａに形成されており、第２ズレ止め部８２は第２端部域１Ｂに形成されており、各ズレ止め部８１，８２はそれぞれ薄肉領域４Ｆと厚み方向で重なっている。これに代えて、図３（ａ）に示すように、第１端部域１Ａにおいて形成された薄肉領域４Ｆと第１ズレ止め部８１とが厚み方向で重なっており、他方の第２ズレ止め部８２は薄肉領域４Ｆと厚み方向で重なっていなくてもよい。
【００２５】
着用物品への取り付けやすさを高め、且つ吸収性物品の取り出し時の負担を軽減する観点から、ズレ止め部８の幅Ｗ１（図２（ｂ）参照）は、下層吸収性コア４Ｂの幅Ｗ２よりも短いことが好ましい。具体的には、ズレ止め部８の幅Ｗ１は、１０ｍｍ以上であることが好ましく、２０ｍｍ以上であることが更に好ましく、また１２０ｍｍ以下であることが好ましく、また１００ｍｍ以下であることが更に好ましい。同様に、下層吸収性コア４Ｂの幅Ｗ２（図２（ａ）参照）は、５０ｍｍ以上であることが好ましく、７０ｍｍ以上であることが更に好ましく、また１４０ｍｍ以下であることが好ましく、また１２０ｍｍ以下であることが更に好ましい。
【００２６】
同様の観点から、ズレ止め部８と下層吸収性コア４Ｂの長手方向側縁４７との間隔Ｗ３（図１参照）は、１ｍｍ以上であることが好ましく、５ｍｍ以上であることが更に好ましく、また３０ｍｍ以下であることが好ましく、２０ｍｍ以下であることが更に好ましい。また同様の観点から、ズレ止め部８の長手方向Ｘの長さＷ４（図１参照）は、５ｍｍ以上であることが好ましく、８ｍｍ以上であることが更に好ましく、また４０ｍｍ以下であることが好ましく、３０ｍｍ以下であることが更に好ましい。
【００２７】
薄肉領域４Ｆを有する吸収体４を備える本発明の吸収性物品によれば、ズレ止め部８が配されている部位が薄肉領域４Ｆと厚み方向で重なっており、ズレ止め部８が外力によって吸収体４側へ移動するように変形しやすくなるので、吸収性物品１の取り付け時においてズレ止め部８が下着や使い捨ておむつ等の着用物品の意図しない部分で係合しにくくなる。その結果、本発明の吸収性物品は、着用者又は介護者等にとって、着用物品の適正な位置に取り付けやすく、また取り付け時の負担が少ないものとなる。また、本発明の吸収性物品を着用物品に取り付けたあとは、着用物品が備える伸縮力によって、吸収性物品が着用物品とともに着用者の体形に沿うように配されるので、中央域１Ｃと、薄肉領域４Ｆや各端部域１Ａ，１Ｂとの間の厚みの差が生じにくくなり、薄肉領域４Ｆに位置するズレ止め部８と着用物品とが効果的に係合されやすくなるという利点もある。
【００２８】
また、薄肉領域４Ｆを有する吸収体４を備える本発明の吸収性物品によれば、本発明の吸収性物品をそのまま積層して保管するか、又は袋等に収容した状態で保管する場合であっても、ズレ止め部８が隣り合う吸収性物品１の外装体に係合しにくくなるので、個々の吸収性物品が容易に取り出しやすくなる。その結果、本発明の吸収性物品は、着用者又は介護者等にとって吸収性物品の取り出し時の負担が少ないものとなる。
【００２９】
以上は、本発明の吸収性物品の一実施形態に関する説明であったところ、以下に、本発明の別の実施形態を、図４及び図５を参照しながら説明する。以下に説明する実施形態については、上述した実施形態と異なる点を中心に説明し、特に説明しない点については第１実施形態についての説明が適宜適用される。また、図４及び図５において、図１ないし図３と同じ部材には同じ符号を付してある。
【００３０】
図４及び図５に示す実施形態では、下層吸収性コア４Ｂの形状が上述した実施形態と異なっている。詳細には、図４（ａ）に示すように、下層吸収性コア４Ｂは、その長手方向の側縁４７が吸収性物品１の長手方向中央部側に切り欠かれた切り欠き部４Ｌを有している。切り欠き部４Ｌは、下層吸収性コア４Ｂが存在していない部位となっている。図４（ａ）に示す切り欠き部４Ｌは、吸収性物品１の両端部域１Ａ，１Ｂにそれぞれ配されており、また吸収性物品１の幅方向Ｙの中央域に配されている。
【００３１】
図４（ａ）に示す吸収性物品１の平面視において、切り欠き部４Ｌは、長手方向Ｘに延びる一対の側縁４Ｌ１，４Ｌ１と、幅方向Ｙに延びる側縁４Ｌ２とによって凹状に形成されており、これらの側縁が切り欠き部４Ｌの輪郭を形成している。切り欠き部４Ｌの各側縁は直線状で形成されているが、これに代えて、又はこれとともに、曲線状の側縁で形成されていてもよい。
【００３２】
図４（ｂ）に示す吸収性物品１の断面視において、切り欠き部４Ｌは、幅方向Ｙの中央域に、上層吸収性コア４Ａは存在するが下層吸収性コア４Ｂは存在していない領域を形成している。つまり、本実施形態における薄肉領域４Ｆは、上層吸収性コア４Ａと切り欠き部４Ｌとが厚み方向で重なる部分によって形成されているものである。このような構成となっていることによって、吸収性物品の着用物品への取り付けやすさを高め、吸収性物品の取り出し時の負担を軽減することに加えて、吸収体の面積が多くなるので、尿などの排泄物の吸収性を高めることができる。
【００３３】
着用物品への取り付けやすさを高め、且つ吸収性物品の取り出し時の負担を軽減する観点から、切り欠き部４Ｌの幅Ｗ５（図４（ａ）参照）は、下層吸収性コア４Ｂの幅Ｗ２よりも短く、且つズレ止め部８の幅よりも長いことが好ましい。具体的には、切り欠き部４Ｌの幅Ｗ５は、３０ｍｍ以上であることが好ましく、５０ｍｍ以上であることが更に好ましく、また１２０ｍｍ以下であることが好ましく、また１００ｍｍ以下であることが更に好ましい。同様の観点から、切り欠き部４Ｌの長手方向Ｘの長さＷ６は、７ｍｍ以上であることが好ましく、１０ｍｍ以上であることが更に好ましく、また８０ｍｍ以下であることが好ましく、また７０ｍｍ以下であることが更に好ましい。また同様の観点から、ズレ止め部８と切り欠き部４Ｌの長手方向Ｘに延びる側縁４Ｌ１との間隔、及びズレ止め部８と切り欠き部４Ｌの幅方向Ｙに延びる側縁４Ｌ２との間隔は、上述した間隔Ｗ３の範囲と同様とすることができる。
【００３４】
また図５に示すように、下層吸収性コア４Ｂは、その厚み方向に貫通した貫通部４Ｐを有していることも好ましい。同図に示す貫通部４Ｐは、吸収性物品１の幅方向Ｙの中央域、且つ、長手方向Ｘの両端部域１Ａ，１Ｂにそれぞれ配されている。貫通部４Ｐは、上述した切り欠き部４Ｌと同様に、下層吸収性コア４Ｂが存在していない部位となっている。
【００３５】
図５（ａ）に示す吸収性物品１の平面視において、貫通部４Ｐは、長手方向Ｘに延びる一対の側縁４Ｐ１，４Ｐ１と、幅方向Ｙに延びる側縁４Ｐ２，４Ｐ２とによって矩形状に形成されており、これらの側縁が貫通部４Ｐの空間を画成している。貫通部４Ｐの各側縁は直線状で形成されているが、これに代えて、又はこれとともに、曲線状の側縁で形成されていてもよい。
【００３６】
図５（ｂ）に示す吸収性物品１の断面視において、貫通部４Ｐは、幅方向Ｙの中央域において、上層吸収性コア４Ａは存在するが下層吸収性コア４Ｂは存在していない領域を形成している。つまり、本実施形態における薄肉領域４Ｆは、上層吸収性コア４Ａと貫通部４Ｐとが厚み方向で重なる部分によって形成されている。このような構成となっている場合であっても、吸収性物品の着用物品への取り付けやすさを高め、吸収性物品の取り出し時の負担を軽減することに加えて、吸収体の面積が多くなるので、尿などの排泄物の吸収性を高めることができる。
【００３７】
着用物品への取り付けやすさを高め、且つ吸収性物品の取り出し時の負担を軽減する観点から、貫通部４Ｐの幅Ｗ７（図５（ａ）参照）は、下層吸収性コア４Ｂの幅Ｗ２よりも短く、且つズレ止め部８の幅よりも長いことが好ましい。具体的には、貫通部４Ｐの幅Ｗ７は、３０ｍｍ以上であることが好ましく、５０ｍｍ以上であることが更に好ましく、また１２０ｍｍ以下であることが好ましく、また１００ｍｍ以下であることが更に好ましい。同様の観点から、貫通部４Ｐの長手方向Ｘの長さＷ８（図５（ａ）参照）は、ズレ止め部８の長手方向Ｘの長さよりも長いことが好ましく、具体的には、１０ｍｍ以上であることが好ましく、１５ｍｍ以上であることが更に好ましく、また１００ｍｍ以下であることが好ましく、また８０ｍｍ以下であることが更に好ましい。また同様の観点から、ズレ止め部８と貫通部における各側縁４Ｐ１，４Ｐ２との間隔はそれぞれ、上述した間隔Ｗ３の範囲と同様とすることができる。
【００３８】
着用物品への取り付けやすさを一層高める観点から、吸収性物品１は、図３に示す実施形態の吸収性物品であることが好ましく、図４又は図５に示す実施形態の吸収性物品であることがより好ましく、図１に示す実施形態の吸収性物品であることが更に好ましい。
【００３９】
次に、上述の各実施形態に共通して適用可能な事項について説明する。図１ないし図５に示す吸収性物品１の外装体５の非肌対向面側に配されているズレ止め部は、機械的面ファスナーであることが好ましい。このような構成となっていることによって、吸収性物品１を着用物品から容易に脱着可能となるとともに、吸収性物品の着用位置を決める際に複数回脱着することができ、その結果、吸収性物品の使用時の利便性が向上する。
【００４０】
本発明に用いられる機械的面ファスナーは、表面に多数の突起状のオス型係合部が配置されてなるオス型シートであることも好ましい。このような構成であることによって、吸収性物品を、下着や使い捨ておむつ等の着用物品に配されている天然繊維又は不織布等の繊維シートに容易に固定することができる。
【００４１】
機械的面ファスナーとしては、各種公知のものを特に制限なく用いることができ、例えば「マジックテープ（登録商標）」（クラレ社製）、「クイックロン（登録商標）」（ＹＫＫ社製）、「マジクロス（登録商標）」（カネボウベルタッチ社製）等を用いることができる。オス型シートのオス型係合部としては、その形状が、錨形や鉤形、キノコ形のもの等を挙げることができる。
【００４２】
本発明の吸収性物品は、香料を含むことも好ましい。香料は、その香気成分が大気圧下で大気中に揮散するものであれば良く、常温常圧の環境下でその香気を知覚し得るものであることが好ましい。吸収性物品に香料を用いることによって、尿や便等の排泄物に起因する不快な臭いを香料の香気によってマスキングすることができる。
【００４３】
特に、便に起因する不快な臭いを効果的に抑制する観点から、香料は吸収体４の肌対向面側に配されていることが好ましい。このような形態としては、例えば香料が上層吸収性コア４Ａの全体に均一に配されていたり、上層吸収性コア４Ａの肌対向面側に配されていたり、第１コアラップシート４２の少なくとも肌対向面側に配されていたりする形態が挙げられる。
【００４４】
本発明において用いることのできる香料としては、例えば植物の抽出エキス、柑橘類の抽出エキス、フトモモ科のユーカリまたはその近縁植物の葉からの抽出物であるシネオール、ピネン、シトロネラール、リモネンなどを用いることができる。また尿臭を一層低減させる観点から、これらの香料に加えて、活性炭などの物理的消臭剤や、四級アンモニウム塩の生物学的消臭剤等を用いてもよい。
【００４５】
表面シート２、裏面シート３、吸収体４及び外装体５としてはそれぞれ、吸収性物品に用いられているものを特に制限なく用いることができる。例えば、表面シート２としては各種の不織布や開孔フィルム等を用いることができる。裏面シート３としては樹脂フィルムや、樹脂フィルムと不織布等とのラミネート等を用いることができる。また、外装体５及び防漏カフ７を形成するためのシートとしては、裏面シート３と同様のものをそれぞれ用いることができる。
【００４６】
以上の各実施形態の吸収性物品１は、これを複数個収容した包装体の状態で市場に流通させることが、コンパクトな形態で、運搬、商品陳列、保管等することができる観点から好ましい。
【００４７】
図６には、本実施形態の包装体１００と、包装体１００に複数収容されている吸収性物品１とが示されている。同図に示す包装体１００は、可撓性を有するシート材からなる包装材１１１と、該包装材１１１によって画成された内部空間１１２を有する包装袋１１０と、内部空間１１２に収容された複数の吸収性物品１とを含んで構成されている。収容されている吸収性物品１はいずれも同一のものであり、圧縮された状態で収容されている。
【００４８】
図６に示すように、包装袋１１０は、略直方体形状であり、所定の幅Ｗ、奥行Ｄ及び高さＨを有している。包装袋１１０の上面には、包装袋１１０の持ち上げ及び運搬に利用可能な把持部１３０が設けられている。把持部１３０は、包装材１１１からなり、包装袋１１０と一体的に形成されている。包装袋１１０の上面及び側面には、包装袋１１０に収容されている吸収性物品１を取り出すための開口部１４０が設けられている。開口部１４０は、包装袋１１０に開封用のミシン目を設けることによって形成されている。
【００４９】
包装袋１１０の内部空間１１２では、吸収性物品１が、その肌対向面側を対向させた状態で折り畳まれて複数収容されている。図６及び図７に示す実施形態では、吸収性物品１の肌対向面側を構成する表面シート２どうしを対向させて、折り畳み方向と吸収性物品１の長手方向Ｘとが一致するように二つ折りされている。折り畳まれた吸収性物品１は、その一方の端部１Ｓが吸収性物品１の両端部域１Ａ，１Ｂによって形成されており、また、他方の端部は吸収性物品１の長手方向中央域によって形成されている。図６に示すように、折り畳まれた吸収性物品１は、その折り畳み方向と奥行Ｄに沿う方向とを一致させて、吸収性物品１の外装体５の外面どうしを面接触させた状態で包装袋１１０の幅Ｗに沿う方向に積層されて積層体を形成している。また、この積層体が包装袋１１０の高さＨに沿う方向に複数段重ねられた状態で、包装袋１１０の内部空間１１２に圧縮されて収容されている。これに代えて、折り畳まれた吸収性物品１は、その折り畳み方向と奥行Ｄに沿う方向とを一致させて、吸収性物品１の外装体５の外面どうしを接触させた状態で包装袋１１０の高さＨに沿う方向に積層されて積層体を形成し、該積層体が包装袋１１０の幅Ｗに沿う方向に並列した状態で、包装袋１１０の内部空間１１２に圧縮されて収容されていてもよい。
【００５０】
図７には、包装体１００における折り畳まれた吸収性物品１の収容状態を示している。詳細には、図７（ａ）は図１に示す実施形態の吸収性物品１の収容状態を示し、図７（ｂ）は図３に示す実施形態の吸収性物品１の収容状態を示し、図７（ｃ）は図５に示す実施形態の吸収性物品１の収容状態を示している。図７（ａ）ないし（ｃ）に示すように、本発明の吸収性物品は、いずれの実施形態であっても、少なくとも一方の端部域に薄肉領域４Ｆを有しているので、薄肉領域４Ｆと厚み方向で重なる位置に配されたズレ止め部８は、包装体１００への収容時に吸収性物品１に付与される外力によって、吸収体４側にへこむように移動し、ズレ止め部８と、隣り合う吸収性物品１の外装体５とが離間するようになる。その結果、ズレ止め部８が隣り合う吸収性物品１の外装体へ引っかかることを効果的に防ぐことができ、吸収性物品１を包装体１００から容易且つ簡便に取り出すことができる。特に、吸収性物品１が包装袋１１０内に圧縮された状態で収容された場合であっても、ズレ止め部８と隣り合う吸収性物品１の外装体５とが離間しているので、吸収性物品の取り出し時の負担が軽減される。
【００５１】
ズレ止め部８と隣り合う吸収性物品１の外装体５とをより離間させて、吸収性物品１を包装体１００から簡便に取り出し可能とする観点から、包装体１００に収容される吸収性物品１は、図３に示す実施形態の吸収性物品であることが好ましく、図４又は図５に示す実施形態の吸収性物品であることがより好ましく、図１に示す実施形態の吸収性物品であることが更に好ましい。
【００５２】
包装体１００からの吸収性物品１の取り出し時において、ズレ止め部８による隣り合う吸収性物品どうしの係合を一層低減して、個々の吸収性物品１を簡便に取り出しやすくする観点から、図６及び図７に示すように、折り畳まれた吸収性物品１におけるズレ止め部８を有する端部１Ｓ側が、開口部１４０側を向いた状態で包装袋１１０に収容されていることが好ましい。このとき、吸収性物品１の折り畳み方向は、包装体１００の奥行Ｄに沿う方向と一致していることが更に好ましい。このような構成となっていることによって、着用者及び介護者は、包装体１００からの吸収性物品１の取り出し時において、吸収性物品１の端部１Ｓ側を把持して開口部１４０から引き出すことになるので、把持によって吸収性物品１に付与される外力によってズレ止め部８が吸収体４側に押し付けられるようになる。その結果、ズレ止め部８と隣り合う吸収性物品１の外装体５とがより離間し、ズレ止め部８が隣り合う吸収性物品１と係合しにくい状態で目的とする個別の吸収性物品を取り出し可能となる。
【００５３】
以上、本発明をその好ましい実施形態に基づき説明したが、本発明は前記実施形態に制限されない。本発明の吸収性物品は、吸収パッドを例にとり説明したが、この形態に限られず、例えば尿取りパッド、軽失禁パッド、展開型使い捨ておむつ、パンツ型使い捨ておむつ、生理用ナプキン等の吸収性コアを具備する物品に適用可能である。また、各実施形態における要件は、適宜、実施形態間で相互に置換可能である。
【００５４】
また、図１ないし図３に示す実施形態では、ズレ止め部８は、その全域が薄肉領域４Ｆ内に存在していたが、ズレ止め部８の少なくとも一部が薄肉領域４Ｆ内に存在していれば、本発明の目的は達成される。尤も、ズレ止め部８の全域が薄肉領域４Ｆ内に存在していることによって、吸収性物品１は、着用物品の適正な位置に取り付けやすくなるとともに、薄肉領域４Ｆに位置するズレ止め部８と着用物品とが効果的に係合されやすくなるという利点が効果的に奏される。
【符号の説明】
【００５５】
１  吸収性物品（吸収パッド）
２  表面シート
３  裏面シート
４  吸収体
４Ａ  上層吸収性コア
４Ｂ  下層吸収性コア
４Ｆ  薄肉領域
５  外装体
８  ズレ止め部
１００  包装体
１１０  包装袋
１４０  開口部
Ｘ  長手方向
Ｙ  幅方向
Ｚ  厚み方向
【図１】
2020110227.tif 000003
【図２】
2020110227.tif 000004
【図３】
2020110227.tif 000005
【図４】
2020110227.tif 000006
【図５】
2020110227.tif 000007
【図６】
2020110227.tif 000008
【図７】
2020110227.tif 000009